(57)【要約】【課題】本発明は、液晶プロジェクターにより反射投影ができ、スクリーンサイズが約１２〜３０インチ程度が可能で、スクリーン立てが約Ａ５〜Ｂ３サイズ程度に折り畳まれる構造簡単で、安価につく映写用スクリーン立てを提供する。【解決手段】縁枠１１を形成して映写用スクリーン２０を裏付けした板１０と、背面板３０とを備え、前記背面板３０が、その一端を前記映写用スクリーン板１０の一端に外折り又は内折りして第１折目３１を形成して連設し、続いて第２折目３２を内折りに形成し、第３折目３３を内折り又は外折りに形成して、前記映写用スクリーン板１０の裏面に着脱可能に取りつけ、前記背面板３０により前記映写用スクリーン板１０を直立できるようにしたもの。【選択図】        図１−１
2011227359.tif 000002
【特許請求の範囲】
【請求項１】
縁枠（１１）を形成して映写用スクリーン（２０）を裏付けした板（以下、単に映写用スクリーン板という。）（１０）と、背面板（３０）とを備え、前記背面板（３０）により前記映写用スクリーン板（１０）を直立できるようにしたことを特徴とした映写用スクリーン立て。
【請求項２】
前記背面板（３０）が、その一端を前記映写用スクリーン板（１０）の一端に外折り又は内折りして第１折目（３１）を形成して連設し、続いて第２折目（３２）を内折りに形成し、第３折目（３３）を内折り又は外折りに形成して、前記映写用スクリーン板（１０）の裏面に着脱可能に取りつけたことを特徴とした請求項１記載の映写用スクリーン立て。
【請求項３】
前記背面板（３０Ｂ）が、第１背面板（３１Ｂ）と第２背面板（３２Ｂ）とを備え、第１背面板（３１Ｂ）は、その一端を前記映写用スクリーン板（１０）の一端に外折り又は内折りする第１折目（３１１Ｂ）を形成して連設し、第２背面板（３２Ｂ）は、糊付片（３２１Ｂ）と、折目（３２２１Ｂ）により内折りされて２つ折りできるようにした中折片（３２２Ｂ）と、糊付片（３２３Ｂ）からなり、糊付片（３２１Ｂ）は第１背面板（３１Ｂ）の他端の裏面に貼着されると共に、折目（３２０１Ｂ）により外折り又は内折りされて中折片（３２２Ｂ）の一端に連設し、中折片（３２２Ｂ）の他端は折目（３２０２Ｂ）により外折り又は内折りされて映写用スクリーン板（１０）の他端に貼着されてなることを特徴とした請求項１記載の映写用スクリーン立て。
【発明の詳細な説明】
【技術分野】
【０００１】
本発明は、卓上で使用される映写用スクリーン立てに関する。
【背景技術】
【０００２】
従来、液晶プロジェクターを投影する場合の卓上用の映写用スクリーンは、特開２００６−７２２９１号公報に示すように、４０インチ以上のロール巻き自立型のものが主流であった。しかし、少人数に対する説明の場合は、４０インチ以上の映写用スクリーンは必要でなく、３０インチ程度で充分で、また、壁を使って投影する場合は、壁の凹凸、汚損やテーブルの移動などが問題となることが多く、外来者には利用しにくい。さらに、従来のロール巻き自立型のものは、高価で、比較的大きく、重く、女性や老齢者の負担が大きく、その上、携帯に不便であった。そこで本発明者は、最近ＬＥＤを採用した手のひらサイズの小型プロジェクターが出現したことから、小型、軽量かつ簡単に折り畳んで収容でき、迅速容易に卓上に置いて使用できる極めて簡便な卓上型スクリーン立てを開発することに成功した。
【先行技術文献】
【特許文献】
【０００３】
【特許文献１】特開２００６−７２２９１号公報
【特許文献２】特開平０９−２３０５０３号公報
【特許文献３】特開平０９−２３０５０５号公報
【特許文献４】特開平１０−４８７４９号公報
【特許文献５】特開２００３−１５２２６号公報
【発明の概要】
【発明が解決しようとする課題】
【０００４】
本発明は、液晶プロジェクターにより反射投影ができる映写用スクリーン立てを提供するものである。
また、本発明は、スクリーンサイズが約１２〜３０インチ程度が可能で、スクリーン立てが約Ａ５〜Ｂ３サイズ程度に折り畳まれる映写用スクリーン立てを提供するものである。
さらに、本発明は、構造簡単で、安価につく映写用スクリーン立てを提供するものである。
【課題を解決するための手段】
【０００５】
本発明映写用スクリーン立ての請求項１の発明は、上記課題を達成するため、図示するように、縁枠１１を形成して映写用スクリーン２０を裏付けした板（以下、単に映写用スクリーン板という。）１０と、背面板３０とを備え、前記背面板３０により前記映写用スクリーン板１０を直立できるようにしたものである。
また、本発明映写用スクリーン立ての請求項２の発明は、上記課題を達成するため、図示するように、請求項１記載の発明において、前記背面板３０が、その一端を前記映写用スクリーン板１０の一端に外折り又は内折りして第１折目３１を形成して連設し、続いて第２折目３２を内折りに形成し、第３折目３３を内折り又は外折りに形成して、前記映写用スクリーン板１０の裏面に着脱可能に取りつけたものである。
また、本発明映写用スクリーン立ての請求項３の発明は、上記課題を達成するため、図示するように、前記背面板３０Ｂが、第１背面板３１Ｂと第２背面板３２Ｂとを備え、第１背面板３１Ｂは、その一端を前記映写用スクリーン板１０の一端に外折り又は内折りする第１折目３１１Ｂを形成して連設し、第２背面板３２Ｂは、糊付片３２１Ｂと、折目３２２１Ｂにより内折りされて２つ折りできるようにした中折片３２２Ｂと、糊付片３２３Ｂからなり、糊付片３２１Ｂは第１背面板３１Ｂの他端の裏面に貼着されると共に、折目３２０１Ｂにより外折り又は内折りされて中折片３２２Ｂの一端に連設し、中折片３２２Ｂの他端は折目３２０２Ｂにより外折り又は内折りされて糊付片３２３Ｂを映写用スクリーン板１０の他端に貼着されてなるものである。
【発明の効果】
【０００６】
本発明によれば、板状に映写用スクリーンを折り畳んで携帯でき、使用時には、卓上で迅速にスクリーンを直立し、液晶プロジェクターでスクリーンの前方から投光してスクリーンに映像を投影することができ、構造簡単、小型かつ安価に製作できる上に、液晶プロジェクターの小型化と相俟って携帯性、軽量性その他の実用的価値は極めて高い。
【図面の簡単な説明】
【０００７】
【図１−１】本発明実施例の使用状態の斜視図である。
【図１−２】図１−１の使用状態の別の斜視図である。
【図１−３】図１−１の折り畳んだときの斜視図である。
【図１−４】図１−１の裏面からみた展開図である。
【図１−５】図１−１の表面からみた展開図である。
【図２−１】本発明の別の実施例の使用状態の斜視図である。
【図２−２】図２−１の閉じた状態の斜視図である。
【図２−３】図２−１の平面図である。
【図２−４】図２−１の別の使用状態の斜視図である。
【図２−５】図２−４の閉じた状態の斜視図である。
【図２−６】図２−４の平面図である。
【発明を実施するための形態】
【０００８】
本発明映写用スクリーン立てを実施するための最良の形態が実施例１及び実施例２に示されている。
【実施例１】
【０００９】
本発明映写用スクリーン立ての実施例１が図１−１乃至図１−５に示されている。
本発明実施例１の映写用スクリーン立ては、映写用スクリーン板１０と背面板３０とからなる。
映写用スクリーン板１０は、合成樹脂又は厚紙製の縁枠１１と合成樹脂フィルム製の反射形映写用スクリーン２０とを備え、縁枠１１の裏面に映写用スクリーン２０を裏付けしている。
背面板３０は、合成樹脂又は厚紙からつくられ、映写用スクリーン板１０の短辺側の一端に第１折目３１を形成して第１折片３０１を連設し、続いて第２折目３２を形成して第２折片３０２を連設し、引続いて、第３折目３３を形成して第３折片３０３を連設している。映写用スクリーン板１０の裏面と背面板３０の第３折片３０３とに、いわゆるマジックテープからなる接合部材のフックテープ４２とループテープ４３をそれぞれ貼着している。
また、映写用スクリーン板１０の背面板３０が連設されていない反対側の縁枠１１の表面に接合部材のループテープ４１が貼着している。
従って、映写用スクリーン立てを使用するときは、図１−３に示すように、閉じた映写用スクリーン立ての背面板３０のフックテープ４２をループテープ４１からはがし、図１−１に示すように、背面板３０の第１折片３０１を第１折目３１を介して開き、続いて第２折片３０２を第２折目３２を介して開いて、映写用スクリーン板１０の裏側へ回し、第３折片３０３を第３折目３３を内折りしてフックテープ４２を映写用スクリーン板１０の裏面のループテープ４３に接合すれば、映写用スクリーン板１０は、机上又は床上に直立できる。また、第３折目３３を外折りできるようにして、図１−１及び図１−２の一点鎖線で示すように、フックテープ４２を映写用スクリーン板１０の裏面のループテープ４３に接合することもできる。
映写用スクリーン立てを折り畳むときは、第３折片３０３のフックテープ４２をループテープ４３からはがし、第３折片３０３をスクリーン板１０からはがして、第１折片３０１を第２折片３０２、第３折片３０３と共に、映写用スクリーン板１０の表面に折り重ねて、フックテープ４２とループテープ４１とを接合すれば、折り畳みができ、閉じた状態を維持することができる。
【実施例２】
【００１０】
本発明映写用スクリーン立ての実施例２が図２−１乃至図２−６に示されている。
本発明実施例２の映写用スクリーン立ては、映写用スクリーン板１０と背面板３０Ｂとからなる。
映写用スクリーン板１０の構成は、本発明実施例１と同じであるので、詳細説明は省略する。
背面板３０Ｂは、合成樹脂又は厚紙からつくられ、第１背面板３１Ｂと第２背面板３２Ｂとからなっている。第１背面板３１Ｂは、その一端を映写用スクリーン板１０の一端に内折りする第１折目３１１Ｂを形成して連設し、第２背面板３２Ｂは、図２−３に示すように、糊付片３２１Ｂと、折目３２２１Ｂにより内折りされて２つ折りできるようにした中折片３２２Ｂと、糊付片３２３Ｂとを設け、糊付片３２１Ｂは第１背面板３１Ｂの他端の裏面に貼着されると共に、折目３２０１Ｂにより外折りされて中折片３２２Ｂの一端に連設され、中折片３２２Ｂの他端は折目３２０２Ｂにより外折りされて糊付片３２３Ｂに連設されると共に、糊付片３２３Ｂは、映写用スクリーン板１０の他端の裏面に貼着されている。
映写用スクリーン板１０の他端の裏面と第１背面板３１Ｂの他端の裏面とに、接合部材のループテープ４１とフックテープ４２それぞれが貼着している。
また、図２−４乃至図２−６に示すように、中折片３２２Ｂの折目３２０１Ｂと第２折目３２０２Ｂを内折りして、糊付片３２１Ｂと糊付片３２３Ｂをそれぞれ連設して、第１背面板３１Ｂの他端の裏面と映写用スクリーン板１０の他端の裏面にそれぞれ貼着することもできる。
従って、映写用スクリーン立てを使用するときは、第１背面板３１Ｂのフックテープ４２をループテープ４１からはがし、第１背面板３１Ｂを第１折目３１１Ｂを介して開くと共に、第２背面板３２Ｂを折目３２２１Ｂを介して開けば、映写用スクリーン立ては、机上又は床上に直立できる。映写用スクリーン立てを折り畳むときは、第１背面板３１Ｂを第１折目３１１Ｂを内折りして閉じ、第２背面板３２Ｂを折目３２２１Ｂを内折りして閉じて、フックテープ４２とループテープ４１を接合すれば、折り畳みができる。
【産業上の利用可能性】
【００１１】
本発明品は、小型、軽量、折り畳み可能で量産できる。
【符号の説明】
【００１２】
１０                映写用スクリーン板
２０                映写用スクリーン
３０、３０Ｂ        背面板
３１                第１折目
３２                第２折目
３３                第３折目
３１Ｂ              第１背面板
３１１Ｂ            第１折目
３２Ｂ              第２背面板
３２０１Ｂ、３２０２Ｂ、３２２１Ｂ        折目
３２１Ｂ、３２３Ｂ            糊付片
３２２Ｂ          中折片
【図１−１】
2011227359.tif 000003
【図１−２】
2011227359.tif 000004
【図１−３】
2011227359.tif 000005
【図１−４】
2011227359.tif 000006
【図１−５】
2011227359.tif 000007
【図２−１】
2011227359.tif 000008
【図２−２】
2011227359.tif 000009
【図２−３】
2011227359.tif 000010
【図２−４】
2011227359.tif 000011
【図２−５】
2011227359.tif 000012
【図２−６】
2011227359.tif 000013